(57)【要約】【課題】  光端末装置に簡単な作業で付加することができ、停電時には光情報信号を電気情報信号に変換して出力することができる。【解決手段】  光テレビジョン信号が光分岐器１０を介して供給された無給電光電変換器２４が、光テレビジョン信号を高周波テレビジョン信号に、無給電で変換して合成器２０に供給する。光分岐器１０を介して光加入者端末装置４に供給された光テレビジョン信号が高周波テレビジョン信号に変換され、合成器２０に供給される。光加入者端末装置４は、停電時には動作しないが、無給電光電変換器２４は停電時にも動作する。【選択図】        図１
2008227904.tif 000002
【特許請求の範囲】
【請求項１】
光情報信号が供給され、この光情報信号を電気情報信号に、無給電で変換して出力する無給電光電変換手段と、
給電状態において、前記光情報信号を前記電気情報信号に変換して出力する給電光電変換手段の出力側と、前記無給電光電変換手段の出力側とに、入力側が接続され、この入力側に入力された信号を無給電で合成する合成手段とを、
具備する光電変換装置。
【請求項２】
請求項１記載の光電変換装置において、
前記光情報信号が供給される光入力端子と、
この光入力端子からの前記光情報信号が供給され、その光情報信号の一部を前記無給電光電変換手段に供給する光供給手段と、
この光供給手段に供給された光情報信号のうち前記無給電光電変換手段に供給された以外のものが前記光供給手段から供給され、これを前記給電光電変換手段の入力側に供給する光出力端子と、
前記給電光電変換手段からの前記電気情報信号が供給される電気入力端子と、
電気出力端子とを、
具備し、前記合成手段には、前記電気入力端子からと前記無給電光電変換手段とから前記電気情報信号が供給され、前記合成手段の出力が前記電気出力端子に供給される
光電変換装置。
【請求項３】
請求項１または２記載の光電変換装置において、前記光情報信号が、光テレビジョン放送信号であり、前記電気情報信号が高周波テレビジョン信号であり、前記給電光電変換手段が光端末装置である光電変換装置。
【請求項４】
請求項１乃至３いずれか記載の光電変換装置において、前記光供給手段が光分岐器であり、前記無給電光電変換手段に前記光分岐器から供給される前記光情報信号のパワーが、前記給電光電変換手段に供給される前記光情報信号のパワーよりも小さくされている光電変換装置。
【発明の詳細な説明】
【技術分野】
【０００１】
本発明は、例えば光ネットワークを介して伝送される光情報信号を、このネットワークの端末において電気情報信号に変換して出力する光端末装置に、付加する光電変換装置に関する。
【背景技術】
【０００２】
光端末装置は、例えば光ネットワークを利用した共同受信システムに使用されることがある。このような共同受信システムでは、停電時にも緊急告知等を光端末装置で受信できる必要がある。そのための対策が、例えば特許文献１に開示されている。
【０００３】
特許文献１では、受光素子であるフォトダイオードのアノードが電流増倍トランスを介して接地されている。フォトダイオードのカソードが、３つの抵抗器の直列回路を介して正の電源端子に接続されている。この直列回路中に逆流阻止ダイオードがそのカソードをフォトダイオード側としてアノードを正の電源端子側として接続され、この逆流阻止ダイオードのカソードと接地電位点との間に大容量のコンデンサが接続されている。電源端子に正の電圧が供給されて、フォトダイオードが動作しているとき、同時に大容量コンデンサにも充電が行われる。停電により電源端子に正の電圧が供給されなくなると、大容量コンデンサが放電してフォトダイオードを動作させる。
【０００４】
【特許文献１】特開２００６−１７４２１１号公報
【発明の開示】
【発明が解決しようとする課題】
【０００５】
この光端末装置では、大容量コンデンサが無停電電源装置として機能するので、停電時にもフォトダイオードを動作させることができる。例えば光端末装置が既に存在している状態において、この光端末装置を停電時にも動作可能とするには、光端末装置の内部に設けられている回路に対して大容量コンデンサを付加しなければならず、その作業が面倒である。特に、多数の光端末装置が存在する場合、それらにそれぞれ大容量コンデンサを付加する作業には多大な労力を必要とする。また、これら大容量コンデンサは高価なものである。
【０００６】
本発明は、光端末装置に簡単な作業で付加することができ、しかも停電時には光情報信号を電気情報信号に変換して出力することができる光電変換装置を提供することを目的とする。
【課題を解決するための手段】
【０００７】
本発明の一態様の光電変換装置は、無給電光電変換手段を有している。この無給電光電変換手段は、動作電源が供給されて無くても、供給された光情報信号を電気情報信号に変換して出力する。この光電変換装置は、合成手段も有している。この合成手段の入力側には、上述した無給電光電変換手段の出力側が接続されている。さらに、入力側は、給電光電変換手段の出力側にも接続されている。給電光電変換手段は、給電状態において、光情報信号を電気情報信号に変換して出力する。給電光電変換手段は、増幅された電気情報信号を出力可能に増幅手段を備えたものとすることができる。合成手段は、入力された電気情報信号を合成して出力する。この合成手段は、無給電状態でも動作するもので、例えば受動素子のみによって構成されている。
【０００８】
このように構成された光電変換装置では、給電時には、給電光電変換手段によって光情報信号が電気情報信号に変換され、この電気情報信号が合成手段を経て出力される。また、無給電時には、光信号が無給電光電変換手段によって電気信号に変換され、合成手段を経て出力される。従って、給電光電変換手段に供給する光情報信号を無給電光電変換手段にも供給するように給電光電変換手段と無給電光電変換手段とを接続するだけで停電時にも電気情報信号を得ることができる。しかも、そのために給電光電変換手段の内部構造を改造する必要が全くない。
【０００９】
この光電変換装置に、光入力端子を設けることができる。この光入力端子には前記光情報信号が供給される。この光情報信号は、例えば光ファイバーを用いたような光ネットワークから供給される。この光入力端子からの前記光情報信号が光供給手段に供給され、光供給手段は、供給された光情報信号の一部を無給電光電変換手段に供給する。光供給手段に供給された光情報信号のうち前記無給電光電変換手段に供給された以外のものが光出力端子に供給される。光出力端子に供給された光情報信号は、給電光電変換手段の入力側に供給される。給電光電変換手段からの電気情報信号が電気入力端子に供給される。合成手段には、電気入力端子からと無給電光電変換手段とから電気情報信号が供給され、合成手段の出力が電気出力端子に供給される。電気出力端子は、電気情報信号を処理する電気情報処理手段に接続される。
【００１０】
このように構成すると、光入力端子を光ネットワークに接続し、光出力端子を給電光電変換手段の入力側に接続し、給電光電変換手段の出力側を電気入力端子に接続すると、給電時にも停電時にも、電気出力端子から電気情報信号を得ることができる。例えば、光ネットワークが今まで給電光電変換手段の入力側に接続されていたとするなら、その接続を外して、上述したように接続するだけの作業で、常に電気出力端子から電気情報信号を得ることができ、給電光電変換手段の内部を改造する必要が無く、作業能率が非常に高い。
【００１１】
光情報信号を光テレビジョン放送信号とし、前記電気情報信号を高周波テレビジョン信号とし、給電光電変換手段を光端末装置とすることができる。
【００１２】
このように構成すると、光ネットワークを利用した共同受信システムにおいて、停電時にも緊急告知等を光端末装置で受信可能となる。
【００１３】
また、光供給手段を光分岐器とし、無給電光電変換手段に光分岐器から供給される光情報信号のパワーが、給電光電変換手段に供給される光情報信号のパワーよりも小さくすることもできる。
【００１４】
このように構成すると、給電時には、無給電光電変換手段からも給電変換手段からも同じ電気情報信号が出力され、合成手段によって合成されるが、無給電光電変換手段からの電気情報信号のパワーが少なくなり、給電変換手段からの電気情報信号に対して妨害波となることが殆ど無い。
【発明の効果】
【００１５】
以上のように、本発明による光電変換装置を光端末装置に付加することによって、停電時にも無給電光電変換手段によって光情報信号を電気情報信号に変換して出力することができ、このとき給電変換手動は動作していないので、無給電光電変換手段からの光情報信号は、給電変換手段から妨害を受けることはない。しかも、光端末装置に何ら改造を加えることなく、単に光端末装置に接続するという簡単な作業のみで行える。
【発明を実施するための最良の形態】
【００１６】
本発明の第１実施形態の光電変換装置２は、光端末装置、例えば光加入者端末装置４に付加されている。光加入者端末装置４は、光ネットワーク、例えば光共同受信システムにおける光伝送路の端末例えば各家庭に、設けられた給電光電変換手段の一例である。即ち、光加入者端末装置４は、動作電源が供給されている状態で動作し、一般には、光共同受信システムの一部をなす光伝送路、例えば光ファイバ６によって伝送されてきた光情報信号を受けて、これを電気情報信号に変換して、例えば増幅した後に処理手段に供給する。電気情報信号は、例えばそのままテレビジョン受信機に供給することによって番組を視聴することができる高周波テレビジョン信号であり、これによって光信号を変調したものが光情報信号、例えば光テレビジョン信号であり、信号処理手段は、例えば上述したテレビジョン受信機である。
【００１７】
第１実施形態では、光ファイバ６と光加入者端末装置４との間に、光電変換装置２が設置されている。
【００１８】
光電変換装置２は、光入力端子８を有し、これに光ファイバ６から光情報信号、例えば光テレビジョン信号が供給されている。
【００１９】
この光テレビジョン信号は、光供給手段、例えば光分岐器１０の入力側１０ＩＮに供給される。光分岐器１０は、２つの出力側、例えば主出力側１０ＭＯＵＴと分岐出力側１１ＢＯＵＴとを有し、主出力側１０ＭＯＵＴと分岐出力側１０ＢＯＵＴとに光テレビジョン信号を出力する。但し、主出力側１０ＭＯＵＴの光テレビジョン信号のパワーが、分岐出力側１０ＢＯＵＴの光テレビジョン信号のパワーよりも大きく、例えば１０対１または１００対１の比率である。なお、光分岐器１０は、停電時にも動作可能なものである。
【００２０】
主出力側１０ＭＯＵＴからの光テレビジョン信号は、光ファイバ１２を介して光出力端子１４に供給されている。光出力端子１４に供給された光テレビジョン信号は、光ファイバ１６を介して光加入者端末装置４の入力側４ＩＮに供給される。光加入者端末装置４は、上述したように、動作電源が供給されているとき、光テレビジョン信号を高周波テレビジョン信号に変換増幅し、出力側４ＯＵＴに出力する。
【００２１】
光加入者端末装置４の出力側４ＯＵＴは、光電変換装置２の電気入力端子１８に伝送線路、例えば同軸ケーブル１７を介して接続され、高周波テレビジョン信号が電気入力端子１８に供給される。電気入力端子１８の高周波テレビジョン信号は、合成手段、例えば合成器２０を介して電気出力端子２２に供給される。電気出力端子２２は、テレビジョン受像機に接続されている。なお、合成器２０は、受動素子によって構成されており、停電時にも動作可能である。光加入者端末装置４に給電が行われて動作しているとき、光ファイバー６を介して光テレビジョン信号が伝送されると、光入力端子８、光分岐器１０、光出力端子１４を介して光加入者端末装置４に光テレビジョン信号が供給される。光加入者端末装置４は、この光テレビジョン信号を高周波テレビジョン信号に光電変換し、電気入力端子１８に供給する。電気入力端子１８の高周波テレビジョン信号は、合成器２０を介して電気出力端子２２に供給され、ここからテレビジョン受信機に供給される。
【００２２】
一方、光分岐器１０の分岐出力側１０ＢＯＵＴは、無給電光電変換手段、例えば無給電光電変換器２４に供給される。この無給電光電変換器２４は、動作電源が供給されて無くても、供給された光テレビジョン信号を高周波テレビジョン信号に光電変換するものである。この無給電光電変換器２４からの高周波テレビジョン信号は、無給電でも動作する合成器２０を介して出力端子２２に供給される。従って、停電時には、緊急告知等のための情報で変調された高周波テレビジョン信号で光信号を変調した光テレビジョン信号が光ファイバ６を介して光入力端子８に供給されると、この光テレビジョン信号は光分岐器１０の主出力側１０ＭＯＵＴと分岐出力側１０ＢＯＵＴとに生じる。主出力側１０ＭＯＵＴから光テレビジョン信号は、上述した経路を経て光加入者端末装置４に供給されるが、停電時であるので、光加入者端末装置４は動作せず、電気入力端子１８に高周波テレビジョン信号は出力されない。一方、分岐出力側１０ＢＯＵＴからの電気テレビジョン信号は無給電光電変換器２４に供給され、ここで高周波テレビジョン信号に変換され、合成器２２を介して電気出力端子２２に供給され、電気出力端子２２からテレビジョン受信機に供給される。よって、停電時でも緊急告知等の情報の伝送は可能である。
【００２３】
なお、光加入者端末装置４に動作電源が供給され、電気入力端子１８から高周波テレビジョン信号が合成器２０に供給されているとき、無給電光電変換装置２４からも同じ高周波テレビジョン信号が合成器２０に供給され、両者が合成されて、電気出力端子２２に供給されるが、光分岐器１０において無給電光電変換装置２４に供給される光テレビジョン信号のパワーを光加入者端末装置４に供給される光テレビジョン信号のパワーよりも小さくし光加入者端末装置４では増幅も行っているので、電気入力端子１８からの高周波テレビジョン信号に対する無給電光電変換装置２４からの高周波テレビジョン信号の影響は少なく、たとえ両者の間に位相のずれがあったとしても、殆ど影響はない。逆に停電時には上述したように光加入者端末装置４は停止しているので、無給電光電変換器２４からの高周波テレビジョン信号に妨害は生じない。
【００２４】
しかも、このように停電時にも緊急告知等を行うためには、光電変換装置２の光入力端子８を光ファイバー６に接続し、光出力端子１４を光加入者端末装置４の入力側に接続し、光加入者端末装置４の出力側４ＯＵＴを電気入力端子１８に接続し、電気出力端子２２をテレビジョン受信機に接続する作業を行うだけでよい。即ち、光加入者端末装置４の内部構造を改造する必要が全くないので、光ファイバー６や光加入者端末装置４が既設の光共同受信システムにおいて、停電時でも緊急告知等を行えるように極めて簡単な作業だけでできる。従って、多数の加入者端末装置４が既に備えられている光共同受信システムに有効である。
【００２５】
無給電光電変換器２４は、例えば図２に示すように構成されている。この無給電光電変換器２４は、受光素子、例えばフォトダイオード２６を有している。フォトダイオード２６は、光テレビジョン信号を受光し、その光量に応じた電圧をその両端のアノード−カソード間に発生する。
【００２６】
フォトダイオード２６のアノードとカソードとは、負荷、例えば変成器、具体的には高周波トランス２８の一次巻線２８ｐ間に接続されている。一次巻線２８ｐは中間タップ２８ｔを有するもので、中間タップ２８ｔは基準電位、例えば接地電位に接続されている。フォトダイオード２６のアノードは、高周波阻止コイル３０を介して接地電位に接続されている。これによってアノードは、高周波的には接地されていない。
【００２７】
高周波トランス２８の二次巻線２８ｓの一端は接地され、他端はコンデンサ３２を介して図１に示す合成器２０に接続されている。
【００２８】
この無給電光電変換器２４では、フォトダイオード２６には、バイアスが供給されてなく、無バイアス状態で使用されている。従って、無給電光電変換器２４は、停電状態でも光信号をテレビジョン信号に変換することができる。
【００２９】
このように構成された無給電光電変換器２４では、フォトダイオード２６が光テレビジョン信号を受光すると、その受光レベルに応じてフォトダイオード２６のアノード側を正、カソード側を負とする電圧が発生し、この電圧に基づいて高周波トランス２８の一次巻線２８ｐに電流が流れ、二次巻線２８ｓに高周波テレビジョン信号が誘起され、これがコンデンサ３２を介して合成器２０に供給される。
【００３０】
フォトダイオード２６に発生する電圧は、フォトダイオード２６に入力される光テレビジョン信号のレベルが大きくなればなるほど、二次巻線２８ｓから出力されるレベルが大きくなる。従って、光テレビジョン信号の入力レベルが高くなっても、テレビジョン受信機に供給する高周波テレビジョン信号を大きくすることができ、最大光入力レベルが規定できる場合に有効で、通常使用される光入力レベル０ｄＢｍ以下では問題なく使用することができる。
【００３１】
本発明の第２の実施の形態の光電変換装置は、図３に示すように無給電光電変換装置２４ａの構成が異なる以外、第１の実施形態の光電変換装置と同様に構成されている。同等部分には同一符号を付して、その説明を省略する。
【００３２】
無給電光電変換装置２４ａでは、フォトダイオード２６ａのカソードは、接地電位点に接続され、フォトダイオード２６ａのアノードは、負荷、例えば高周波トランス３６の１次巻線３６ｐと抵抗器３８との直列回路を介して接地されている。これによってフォトダイオード２６のアノードは直流的には接地電位に接続されているが、高周波的には接地電位に接続されていない。また、高周波トランス３６の２次コイル３６ｓは、コンデンサ４０を介して合成器２０に供給されている。
【００３３】
この無給電光電変換器２４ａでは、フォトダイオード２６ａのカソードは接地され、アノードは、高周波トランス３６の１次コイル３６ｐ及び抵抗器３８を介して接地電位に接続されているので、フォトダイオード２６ａは無バイアス状態になる。この状態で、光テレビジョン信号をフォトダイオード２６ａが受けると、カソード側が負で、アノード側が正の電圧が発生し、これによって流れた電流によって高周波トランス３６の２次コイル３６ｓに高周波テレビジョン信号が誘起される。
【００３４】
この無給電光電変換器２４ａでも、停電時に、フォトダイオード２６ａは無バイアス状態で、光信号をテレビジョン信号に変換することができる。
【００３５】
上記の２つの実施形態では、本発明の光電変換器を光共同受信システムの加入者端末装置に実施したが、これに限ったものではなく、例えばＦＴＴＨのネットワークの光端末装置に付加する光電変換器として使用することもできる。第１の実施形態の無給電光電変換器２４では、フォトダイオード２６の両端間に高周波トランスの１次巻線を接続したが、これに代えて、例えば直列に接続された２つの抵抗器を使用することができる。この場合、抵抗器の相互接続点を接地電位に接続し、フォトダイオード２６のカソード側からかアノード側から、テレビジョン信号を出力として取り出す。また、第２の実施形態では、高周波トランス３６を用いたが、これを除去して、抵抗器３８の両端間に生じる電圧を高周波テレビジョン信号として使用することができる。或いは、高周波トランス３６に代えてタップ付きの高周波コイルを設け、このタップと接地電位間の電圧を高周波テレビジョン信号として使用することもできる。
【図面の簡単な説明】
【００３６】
【図１】本発明の第１の実施形態の光電変換装置を付加した光端末装置のブロック図である。
【図２】図１の無給電光電変換器の回路図である。
【図３】本発明の第２の実施形態の無給電光電変換器の回路図である。
【符号の説明】
【００３７】
４  光加入者端末装置（給電光電変換手段）
８  光入力端子
１０  光分岐器（光供給手段）
１４  光出力端子
１８  電気入力端子
２０  合成器（合成手段）
２２  電気出力端子
２４  無給電光電変換器（無給電光電変換手段）
【図１】
2008227904.tif 000003
【図２】
2008227904.tif 000004
【図３】
2008227904.tif 000005